(57)【要約】【課題】テレビ電話機能を有する携帯電話やＰＤＡ等の携帯型無線通信装置において、ハンズフリー通話時に該装置と使用者との間の距離が変化しても、受信音声の音量及び送信音声の音量を適度なレベルに維持する。【解決手段】携帯型無線通信装置を使用する使用者までの距離を測定する測定手段１４と、受信音声信号及び送信音声信号の少なくとも一方の増幅率と前記距離との間の対応関係を表す増幅率設定情報を記憶した記憶手段２と、ハンズフリー通話時、受信音声信号及び送信音声信号の少なくとも一方の増幅率を、前記測定手段により測定された距離を前記記憶手段に記憶された増幅率設定情報と照合して得られる増幅率に設定する設定手段７とを備える。【選択図】        図１
2004165962.tif 000002
【特許請求の範囲】
【請求項１】
テレビ電話機能を有する携帯型無線通信装置において、
該携帯型無線通信装置を使用する使用者までの距離を測定する測定手段と、
受信音声信号及び送信音声信号の少なくとも一方の増幅率と前記距離との間の対応関係を表す増幅率設定情報を記憶した記憶手段と、
ハンズフリー通話時、受信音声信号及び送信音声信号の少なくとも一方の増幅率を、前記測定手段により測定された距離を前記記憶手段に記憶された増幅率設定情報と照合して得られる増幅率に設定する設定手段と
を備えることを特徴とする携帯型無線通信装置。
【請求項２】
前記測定手段は、ハンズフリー通話時、一定の時間間隔で前記距離の測定を実行することを特徴とする請求項１に記載の携帯型無線通信装置。
【請求項３】
前記増幅率設定情報は、使用者までの距離が複数のレンジに区切られ、各レンジにそれぞれ増幅率が設定されている表を含むことを特徴とする請求項１または２に記載の携帯型無線通信装置。
【請求項４】
前記設定手段はイヤホンが前記携帯型無線通信装置のイヤホン端子に接続されているときには、受信音声信号の増幅率を前記増幅率設定情報に含まれるイヤホン接続時用の増幅率に設定し、送信音声信号の増幅率を前記複数のレンジの中の前記測定手段により測定された距離が属するレンジの増幅率に設定することを特徴とする請求項１から３の何れか一項に記載の携帯型無線通信装置。
【請求項５】
前記設定手段はイヤホンマイクが前記携帯型無線通信装置のイヤホンマイク端子に接続されているときには、受信音声信号の増幅率及び送信音声信号の増幅率を前記増幅率設定情報に含まれるイヤホンマイク接続時用の増幅率に設定することを特徴とする請求項１から３の何れか一項に記載の携帯型無線通信装置。
【請求項６】
前記測定手段は、イヤホンマイクが前記携帯型無線通信装置のイヤホンマイク端子に接続されているときには前記距離の測定を行わないことを特徴とする請求項５に記載の携帯型無線通信装置。
【発明の詳細な説明】
【発明の属する技術分野】
【０００１】
【発明の属する技術分野】
本発明は、内蔵のカメラで撮影した画像を伝送する機能を有する携帯電話やＰＤＡ等のテレビ電話機能を有する携帯型無線通信装置に関する。
【０００２】
【従来の技術】
携帯電話には、通常、その使用者が携帯電話からある程度距離を置いた状態で通話できるようにするためハンズフリー通話機能が備えられているが、耳及び口を携帯電話のスピーカ及びマイクロホンに近づけた通常の状態で通話を行う場合がほとんどであり、ハンズフリー通話機能が使用される機会はそれほど多くはない。
【０００３】
しかし、近年、携帯電話の通信方式はＴＤＭＡ（時分割多重接続）からＣＤＭＡ（符合分割多重接続）に移行しており、それにより、音声信号のみの伝送から音声信号及び画像信号の両方の伝送が可能となり、携帯電話をテレビ電話として使用できるようになってきている。今後、ＣＤＭＡ方式への移行に伴い、テレビ電話機能を備える携帯電話が広く普及するものと考えられ、ハンズフリー通話の機会が大幅に増えることが予想される。
【０００４】
今後一層の普及が予想されるテレビ電話機能を備える携帯電話の使い勝手を向上させるため、モード切換えスイッチが音声通信モードに切換えられている時と音声・画像通信モードに切換えられている時とで受信音声信号の増幅率を異ならせる構成が提案されている（例えば特許文献１参照）。この構成は、テレビ電話機能の使用を開始するとき、受信音声信号の増幅率を大きくすることにより、画面を見ながら通話し、従って携帯電話のスピーカから耳が離れた状態のハンズフリー通話の場合にも使用者が相手の声を容易に聞き取ることができるようにするものである。
【０００５】
【特許文献１】
特開２０００−１２４９９３号公報（請求項１、請求項２、第１図）
【０００６】
【発明が解決しようとする課題】
しかしながら、ハンズフリー通話を行う場合、携帯電話とその使用者との距離は常に同じであるわけではなく、例えば、複数人が１台の携帯電話でテレビ電話機能を使用する場合には、一般的には１人で使用する場合に比べ携帯電話との距離が長くなる。そのため、上記構成では、ハンズフリー通話時に受話音量をハンズフリー通話用の音量に切換え、大きくしたとしても、携帯電話と使用者との間の距離が長くなった場合には受話音声が聞こえ難くなり、逆にその距離が短くなった場合には受話音量が大きくなり過ぎて不快感を覚える可能性がある。
【０００７】
同様に、上記構成では、ハンズフリー通話時に受話音量をハンズフリー通話用の音量に切換えたとしても、携帯電話と使用者との間の距離が長くなった場合には通話相手に送られる音声が小さくなり、逆に短くなった場合には通話相手に送られる音声が大きくなりすぎて通話相手が不快感を覚える可能性がある。
【０００８】
この発明は、上述の問題に鑑みなされたものであり、その目的は、テレビ電話機能を有する携帯電話やＰＤＡ等の携帯型無線通信装置において、ハンズフリー通話時に該装置と使用者との間の距離が変化しても、受信音声の音量及び送信音声の音量を適度なレベルに維持できるようにすることである。
【０００９】
【課題を解決するための手段】
上記目的は、テレビ電話機能を有する携帯型無線通信装置において、該携帯型無線通信装置を使用する使用者までの距離を測定する測定手段と、受信音声信号及び送信音声信号の少なくとも一方の増幅率と前記距離との間の対応関係を表す増幅率設定情報を記憶した記憶手段と、ハンズフリー通話時、受信音声信号及び送信音声信号の少なくとも一方の増幅率を、前記測定手段により測定された距離を前記記憶手段に記憶された増幅率設定情報と照合して得られる増幅率に設定する設定手段とを備えることを特徴とする携帯型無線通信装置により達成される。
【００１０】
【発明の実施の形態】
以下、この発明をその実施の形態を示す図面に基づいて具体的に説明する。
実施の形態１．
図１は本発明の実施の形態１に係る携帯型電話機の構成を示すブロック図である。同図に示すようにこの携帯型電話機は、情報処理及び制御を行うマイクロコンピュータを主体とする制御部１と、音声増幅率を携帯型電話機と使用者との間の距離に応じて設定するために用いる増幅率設定情報を記憶したメモリ２と、データの送受信処理を行う通信部３と、アンテナ４と、キースイッチ群６と、キースイッチ群の中でどのキーが押されたかを検出し制御部１に通知するキー入力デコーダ５と、音声信号を制御する音声信号処理部７と、音声信号を出力するスピーカ８と、音声信号を入力するマイクロホン９と、マイクロホン９から入力された音声信号から雑音を取り除くノイズキャンセル回路１０と、画像信号を制御する画像信号処理部１１と、画像を表示する表示部１２と、被写体を画像信号として取り込むカメラ１３と、携帯型電話機と使用者との間の距離を測定する距離センサ１４と、距離センサ１４の動作を制御する距離センサ制御部１５と、イヤホン１６と、外部マイクロホン１７とを含んでいる。
【００１１】
尚、図示していないが、イヤホン１６と外部マイクロホン１７とを音声処理部７に接続可能なイヤホンマイクとして一体に構成してもよい。また、距離センサ１４としては、例えば超音波式近接センサを用いることができる。以下、音声信号制御の流れを示す図２のフローチャートを参照して上記構成を有する携帯型電話機の動作を説明する。
【００１２】
まず、携帯電話機に備えられているキースイッチ群６の中の何れかのキーが押されるとキー入力デコーダ５はどのキーが押されたのかを判別し、判別結果を制御部１に通知する（ステップＳ１）。
【００１３】
ステップＳ１で、テレビ電話開始キー又はハンズフリーキーが押された場合には、制御部１はハンズフリー通話が行われると判断し、距離センサ制御部１５に距離センサ起動開始命令を送る。これに応答して距離センサ制御部１５は距離センサ１４に距離計測動作を開始させる（ステップＳ２）。
【００１４】
距離センサ１４は携帯電話機と使用者との間の距離を測定し、測定結果をリアルタイムに距離センサ制御部１５に送る（ステップＳ３）。
【００１５】
距離センサ１４は、ハンズフリー通話が行われている間、連続的に携帯電話機と使用者との間の距離を測定し、測定値を距離センサ制御部１５に送り続ける。
【００１６】
距離センサ制御部１５は距離センサ１４の測定値を制御部１に送り、制御部１はこの測定値を音声処理部７に転送する。音声処理部７は転送された測定値とメモリ２に記録されている増幅率設定情報とを照し合せ、増幅率を決定する（ステップＳ４）。
【００１７】
ステップＳ４における増幅率の決定は、音声処理部７に転送された測定値と予め携帯電話機と使用者との間の距離（離間距離）をあるレンジごとに区切り、それぞれのレンジにおいて最適な増幅率を予め設定した図３に示すような増幅率設定情報とを照し合せ、転送された測定値がどのレンジに含まれているかを調べ、転送された測定値が属するレンジ時に設定されている増幅率を用いることにより行われる。
【００１８】
図３に示した増幅率設定情報がメモリ２に記録されている場合、例えば、音声処理部７に転送された測定値が１２ｃｍの時は、該測定値は離間距離１０〜１５ｃｍのレンジに含まれることから、音声処理部７は増幅率をＥにすることを決定する。
【００１９】
音声処理部７は増幅率Ｅで送信音声信号を増幅する（ステップＳ５）。
【００２０】
また、音声処理部７は増幅率Ｅで受信音声信号を増幅する（ステップＳ６）。
【００２１】
音声処理部７で増幅された送信音声信号は通信部３からアンテナ４を介して送信され、増幅した受信音声信号はスピーカ８に供給される（ステップＳ７）。
【００２２】
通話中、ステップＳ４からステップＳ７が繰り返される。
【００２３】
尚、イヤホン１６が音声処理部７に接続されている場合、ステップＳ４では、送信音声信号については距離センサ１４が測定した離間距離が増幅率設定情報のどのレンジに属するかを判別し、判別されたレンジに設定されている増幅率で増幅し、一方、受信音声信号については増幅率設定情報に含まれるイヤホン装着時用に予め設定された増幅率Ａを用いることを決定する。
【００２４】
また、イヤホン１６と外部マイクロホン１７とが一体に構成されたイヤホンマイクが音声処理部７に接続されている場合には、ステップＳ４では、受信音声信号及び送信音声信号の増幅率として増幅率設定情報に含まれるイヤホンマイク装着時用に予め設定された増幅率設Ｂを用いることを決定する。
【００２５】
図２のフローチャートには示していないが、イヤホンマイクが音声処理部に接続されている場合は、距離センサ１４は測定動作を停止する。これにより消費電量を低減することができる。
【００２６】
以上説明したように、本実施の形態は、ハンズフリー通話中、距離センサが連続的に測定する携帯電話と使用者との離間距離に応じて決定される増幅率で受信音声信号及び送信音声信号を増幅することにより、常に最適な受話音量及び送信音量を設定する構成を有する。
【００２７】
本実施の形態１によれば、テレビ電話機能を有する携帯電話機において、ハンズフリーによる通話を行う場合には距離センサが測定した装置と使用者との離間距離に応じて増幅率を決定するので、受信音声信号については使用者が携帯電話機から離れるにつれ段階的に増幅率を上げて受信音声信号を増幅することにより受話音声を聞き取り易くし、また使用者が携帯電話機に近づくにつれ段階的に増幅率を下げて受信音声信号を減幅することにより受話音声が大き過ぎて不快感を覚えることを防止できる。
【００２８】
送信音声信号についても同様に、使用者が携帯電話機から離れるにつれ段階的に増幅率を上げて送信音声信号を増幅することにより通話相手が送信音声を聞き取ることが容易になり、また使用者が携帯電話機に近づくにつれ段階的に増幅率を下げて送信音声信号を減幅することにより送信音声が大きすぎて通話相手が不快感を覚えることを防止できる。また、イヤホンやイヤホンマイクの使用時においても、受信音声信号及び送信音声信号の音量が自動的に適切なレベルに設定される。
【００２９】
実施の形態２．
図４は本発明の実施の形態２に係る携帯型電話機の構成を示すブロック図である。
【００３０】
図４において、図１に示した要素と同じ要素には同じ符号を付している。実施の形態２の携帯型電話機も、情報処理及び制御を行うマイクロコンピュータを主体とする制御部１と、音声増幅率を携帯型電話機と使用者との間の距離に応じて設定するために用いる幅率設定情報を記憶したメモリ２と、データの送受信処理を行う通信部３と、アンテナ４と、キースイッチ群６、キースイッチ群の中でどのキーが押されたかを検出し制御部１に通知するキー入力デコーダ５と、音声信号を制御する音声信号処理部７と、音声信号を出力するスピーカ８と、音声信号を入力するマイクロホン９と、マイクロホン９から入力された音声信号から雑音を取り除くノイズキャンセル回路１０と、画像信号を制御する画像信号処理部１１と、画像を表示する表示部１２と、被写体を画像信号として取り込むカメラ１３と、携帯型電話機と使用者との間の距離を測定する距離センサ１４と、距離センサ１４の動作を制御する距離センサ制御部１５と、イヤホン１６と、外部マイクロホン１７とを含んでいる。
【００３１】
実施の形態２は、制御部１にタイマー２０が設けらた点で実施の形態１と構成が異なる。尚、実施の形態１と同様、イヤホン１６と外部マイクロホン１７とを音声処理部７に接続可能なイヤホンマイクとして一体に構成してもよく、また、距離センサ１４として、例えば超音波式近接センサを用いることができる。以下、音声信号制御の流れを示す図５のフローチャートを参照して実施の形態２の携帯型電話機の動作を説明する。
【００３２】
まず、携帯電話機に備えられているキースイッチ群６の中の何れかのキーが押されるとキー入力デコーダ５はどのキーが押されたのかを判別し、判別結果を制御部１に通知する（ステップＳ１）。
【００３３】
ステップＳ１で、テレビ電話開始キー又はハンズフリーキーが押された場合には、制御部１はハンズフリー通話が行われると判断し、距離センサ制御部１５に距離センサ起動開始命令を送る。これに応答して距離センサ制御部１５は距離センサ１４に距離計測動作を開始させる（ステップＳ２）。
【００３４】
距離センサ１４は携帯電話機と使用者との間の距離を測定し、測定結果をリアルタイムに距離センサ制御部１５に送る（ステップＳ３）。
【００３５】
距離センサ制御部１５は距離センサ１４の測定値を制御部１に送る。制御部１はこの測定値を音声処理部７に転送すると共に、距離センサ制御部１５に対し、距離センサ動作停止命令を送る。この命令に応答し、距離センサ制御部１５は距離センサ１４に動作を停止させる（ステップＳ４）。
【００３６】
距離センサ１４が動作を停止した時点で、制御部１のタイマー２０はその時点からの経過時間を一定周波数のクロックパルスを計数することにより計時する（ステップＳ５）。
【００３７】
音声処理部７は転送された測定値とメモリ２に記録されている増幅率設定情報とを照し合せ、増幅率を決定する（ステップＳ６）。
【００３８】
ステップＳ４における増幅率の決定は、音声処理部７に転送された測定値と予め携帯電話機と使用者との間の距離（離間距離）をあるレンジごとに区切り、それぞれのレンジにおいて最適な増幅率を予め設定した図３に示すような増幅率設定情報とを照し合せ、転送された測定値がどのレンジに含まれているかを調べ、転送された測定値が属するレンジに設定されている増幅率を用いることにより行われる。
【００３９】
図３に示した増幅率設定情報がメモリ２に記録されている場合、例えば、音声処理部７に転送された測定値が１７ｃｍの時は、該測定値は離間距離１５〜２０ｃｍの範囲に含まれることから、音声処理部７は増幅率をＦにすることを決定する。
【００４０】
音声処理部７は増幅率Ｆで送信音声信号を増幅する（ステップ７）。
【００４１】
また、音声処理部７は増幅率Ｆで受信音声信号を増幅する（ステップ８）。
【００４２】
音声処理部７で増幅された送信音声信号は通信部３からアンテナ４を介して送信され、増幅された受信音声信号はスピーカ８に供給される（ステップＳ９）。
【００４３】
制御部１は、タイマー２０のカウント値に基づき、距離センサ１４が動作を停止してから所定の時間Ｔが経過したか否かを調べ（ステップＳ１０）、時間Ｔが経過していない場合はステップＳ７に戻る。
【００４４】
ステップＳ１０において時間Ｔが経過していた場合にはステップ２に戻る。
【００４５】
尚、イヤホン１６が音声処理部７に接続されている場合、ステップＳ４では、送信音声信号については距離センサ１４が測定した離間距離が増幅率設定情報のどのレンジに属するかを判別し、判別されたレンジに設定されている増幅率で増幅し、一方、受信音声信号については増幅率設定情報に含まれるイヤホン装着時用に予め設定された増幅率Ａを用いることを決定する。
【００４６】
また、イヤホン１６と外部マイクロホン１７とが一体に構成されたイヤホンマイクが音声処理部７に接続されている場合には、ステップＳ６では、受信音声信号及び送信音声信号の増幅率として増幅率設定情報に含まれるイヤホンマイク装着用に予め設定された増幅率設Ｂを用いることを決定する。
【００４７】
図５のフローチャートには示していないが、イヤホンマイクが音声処理部７に接続されている場合は、距離センサ１４は測定動作を停止する。これにより消費電力を低減することができる。
【００４８】
以上説明したように、本実施の形態２は、ハンズフリー通話中、距離センサが一定の時間間隔で測定する携帯電話機と使用者との離間距離に応じて決定される増幅率で受信音声信号及び送信音声信号を増幅することにより、常に最適な受話音量及び送信音量を設定する構成を有する。
【００４９】
本実施の形態２によれば、実施の形態１と同様、テレビ電話機能を有する携帯電話機において、ハンズフリーによる通話を行う場合には距離センサが一定の時間間隔で測定した携帯電話機と使用者との離間距離に応じて増幅率を決定するので、受信音声信号については使用者が携帯電話機から離れるにつれ段階的に増幅率を上げて受信音声信号を増幅することにより受話音声を聞き取り易くし、また使用者が携帯電話機に近づくにつれ段階的に増幅率を下げて受信音声信号を減幅することにより受話音声が大き過ぎて不快感を覚えることを防止できる。
【００５０】
送信音声信号についても同様に、使用者が携帯電話機から離れるにつれ段階的に増幅率を上げて送信音声信号を増幅することにより通話相手が送信音声を聞き取ることが容易になり、また使用者が携帯電話機に近づくにつれ段階的に増幅率を下げて送信音声信号を減幅することにより送信音声が大きすぎて通話相手が不快感を覚えることを防止できる。また、イヤホンやイヤホンマイクの使用時においても、受信音声信号及び送信音声信号の音量が自動的に適切なレベルに設定される。
【００５１】
更に、本実施の形態２では、距離センサ１４はハンズフリー通話中、連続的にではなく、一定の時間間隔で距離測定を実行するので実施の形態１に比べ消費電力が低減される。
【００５２】
【発明の効果】
テレビ電話機能を有する携帯電話やＰＤＡ等の携帯型無線通信装置において、ハンズフリー通話時に該装置と使用者との間の距離が変化しても、受信音声の音量及び送信音声の音量を適度なレベルに維持することが可能となる。
【図面の簡単な説明】
【図１】本発明の実施の形態１に係る携帯型電話機の構成を示すブロック図である。
【図２】実施の形態１の携帯型電話機の音声信号制御の流れを示すフローチャートである。
【図３】本発明の実施の形態１及び２に係る携帯型電話機のメモリに記録された増幅率設定情報の内容を示す図である。
【図４】本発明の実施の形態２に係る携帯型電話機の構成を示すブロック図である。
【図５】実施の形態２の携帯型電話機の音声信号制御の流れを示すフローチャートである。
【符号の説明】
１  制御部、  ２  メモリ、  ３  通信部、  ４  アンテナ、  ５  キー入力デコーダ、  ６  キースイッチ群、  ７  音声処理部、  ８  スピーカ、  ９  マイクロホン、  １０  ノイズキャンセル回路、  １１  画像処理部、  １２  表示部、  １３  カメラ、  １４  距離センサ、  １５  距離センサ制御部、  １６  イヤホン、  １７  外部マイクロホン、  ２０  タイマー。
【図１】
2004165962.tif 000003
【図２】
2004165962.tif 000004
【図３】
2004165962.tif 000005
【図４】
2004165962.tif 000006
【図５】
2004165962.tif 000007